(57)【要約】      （修正有）【課題】簡単な回路構成により、複数のサージ保護素子を対象として劣化等の異常を容易に検出可能にした通信用サージ保護素子の異常検出回路を提供する。【解決手段】一対の通信線に入力側が接続されたダイオードブリッジの出力側にサージ保護素子１０１の両端をそれぞれ接続し、サージ保護素子１０１の一端をダイオードのカソードに接続してそのアノードを接地端子Ｅに接続し、サージ保護素子１０１の他端をダイオードのアノードに接続してそのカソードを接地端子Ｅに接続して通信用サージ保護回路１００を構成する。サージ保護素子１０１に直流電源電圧を印加することにより、サージ保護素子１０１に流れる漏れ電流によってサイリスタＴＨをオンさせ、発光ダイオードＤ１０により異常表示を行う。これにより、簡単な回路構成のもとで複数のサージ保護素子１０１の劣化等を容易に検出する。【選択図】図２
2014003806.tif 000002
【特許請求の範囲】
【請求項１】
一対の通信線に入力側が接続されたダイオードブリッジの出力側に通信用サージ保護素子の両端をそれぞれ接続し、前記サージ保護素子の一端を第１のダイオードのカソードに接続してそのアノードを接地端子に接続すると共に、前記サージ保護素子の他端を第２のダイオードのアノードに接続してそのカソードを前記接地端子に接続することにより通信用サージ保護回路を構成し、
前記サージ保護素子の一端にカソードが接続された第３のダイオードと前記サージ保護素子の他端にアノードが接続された第４のダイオードとを介して前記サージ保護素子に直流電源電圧を印加したときに前記サージ保護素子に流れる漏れ電流によってスイッチ素子をオンさせ、このスイッチ素子に直列接続された表示素子により異常表示を行うことを特徴とする通信用サージ保護素子の異常検出回路。
【請求項２】
請求項１に記載した異常検出回路において、
前記スイッチ素子に直列接続されて警報を出力させるためのリレーを備えたことを特徴とする通信用サージ保護素子の異常検出回路。
【請求項３】
請求項１または２に記載した異常検出回路において、
直流電源、第３のダイオード、前記サージ保護素子、及び第４のダイオードの直列回路に、更に定電流素子を直列に挿入したことを特徴とする通信用サージ保護素子の異常検出回路。
【請求項４】
請求項１〜３の何れか１項に記載した異常検出回路において、
前記表示素子、前記スイッチ素子、第３のダイオード、前記サージ保護素子、及び第４のダイオードを少なくとも含む異常検出部を、直流電源に対して複数、並列に接続したことを特徴とする通信用サージ保護素子の異常検出回路。
【発明の詳細な説明】
【技術分野】
【０００１】
本発明は、各種の通信線に接続されて雷サージから通信機器や計装機器等を保護するための通信用サージ保護素子の異常検出回路に関し、詳しくは、サージ保護素子の劣化を容易に検出可能とした異常検出回路に関するものである。
【背景技術】
【０００２】
この種のサージ保護素子は、雷サージ電流が繰り返し流れ、また、経年的な使用に伴って特性が劣化することにより、漏れ電流が増加して発熱し、いわゆる熱破壊に至る場合がある。
このため、例えば、特許文献１に示すように、サージ保護素子の寿命を予測してその交換を促すようにした回路が提案されている。
【０００３】
図３は、特許文献１に記載された異常検出回路であり、図において、Ｌは通信線、１は図示されていない負荷を制御するための端末、２は端末１の通信を制御する伝送ユニット、３は通信線Ｌに加わった雷サージを接地側にバイパスさせるための避雷器、４は避雷器３の状態を表示する表示器である。なお、避雷器３は、端末１及び表示器４からある程度離れた遠隔地に設けられている。
【０００４】
避雷器３は、通信線Ｌに接続されたバリスタ３１と、バリスタ３１に流れる電流を検出する電流センサ３２と、電流センサ３２の出力信号（サージ電流値）をディジタル信号に変換するＡ／Ｄ変換器３３と、サージ発生回数を記憶するメモリ３５と、サージ発生回数の演算や表示器４に対する通信制御等を行うＣＰＵ３４と、通信線Ｌとの間のインターフェース機能を有する通信ドライバ回路３６と、を備えている。
【０００５】
この従来技術では、ＣＰＵ３４により、Ａ／Ｄ変換器３３の出力信号を閾値と比較してサージ発生回数を求め、メモリ３５に記憶されたサージ発生回数をインクリメントして更新すると共に、更新されたサージ発生回数を、通信ドライバ回路３６を介して表示器４により表示している。
以上のような動作により、表示器４に表示されたサージ発生回数からバリスタ３１の寿命を予測することができ、バリスタ３１が熱破壊を起こす以前にその交換を促すことができる。
【０００６】
なお、配電系統に接続された避雷素子の劣化表示装置として、例えば、特許文献２に記載されたものが知られている。
この劣化表示装置は、配電系統の接地線に接続された避雷素子の漏れ電流によりコンデンサを充電し、このコンデンサの電圧がダイアックのトリガ電圧を超えるとダイアックが導通してサイリスタのゲート信号を発生させ、サイリスタに直列接続された表示器を駆動して避雷素子の劣化表示を行うものである。
【先行技術文献】
【特許文献】
【０００７】
【特許文献１】特開２０１１−１９０６９号公報（段落［００２３］〜［００５４］、図１等）。
【特許文献２】特開平６−５３５０号公報（段落［００１３］〜［００１５］、図１等）。
【発明の概要】
【発明が解決しようとする課題】
【０００８】
特許文献１に記載された従来技術では、サージ発生回数をカウントし、これを表示するためにＡ／Ｄ変換器３３やＣＰＵ３４、通信ドライバ回路３６等が必要であり、これらが回路構成の複雑化やコスト高を招くという問題がある。
また、特許文献２に記載された従来技術は、開閉サージ電流や雷サージ電流が流れたときに誤って劣化表示するのを防止するため、前記コンデンサの前段にツェナーダイオードを設けなければならず、やはり回路構成が複雑になるという問題があった。
更に、これらの特許文献１，２には、単一の直流電源を用いて複数のバリスタまたは避雷素子の劣化表示を行う技術については何ら言及されていない。
【０００９】
そこで本発明の解決課題は、簡単な回路構成により、複数のサージ保護素子を対象として劣化等の異常を容易に検出可能にした通信用サージ保護素子の異常検出回路を提供することにある。
【課題を解決するための手段】
【００１０】
上記課題を解決するため、請求項１に係る発明は、一対の通信線に入力側が接続されたダイオードブリッジの出力側に通信用サージ保護素子の両端をそれぞれ接続し、前記サージ保護素子の一端を第１のダイオードのカソードに接続してそのアノードを接地端子に接続すると共に、前記サージ保護素子の他端を第２のダイオードのアノードに接続してそのカソードを前記接地端子に接続することにより通信用サージ保護回路を構成し、
前記サージ保護素子の一端にカソードが接続された第３のダイオードと前記サージ保護素子の他端にアノードが接続された第４のダイオードとを介して前記サージ保護素子に直流電源電圧を印加したときに前記サージ保護素子に流れる漏れ電流によってスイッチ素子をオンさせ、このスイッチ素子に直列接続された表示素子により異常表示を行うものである。
【００１１】
請求項２に係る発明は、請求項１に記載した異常検出回路において、前記スイッチ素子に直列接続されて警報を出力させるためのリレーを備えたものである。
【００１２】
請求項３に係る発明は、請求項１または２に記載した異常検出回路において、直流電源、第３のダイオード、前記サージ保護素子、及び第４のダイオードの直列回路に、更に定電流素子を直列に挿入したものである。
【００１３】
請求項４に係る発明は、請求項１〜３の何れか１項に記載した異常検出回路において、前記表示素子、前記スイッチ素子、第３のダイオード、前記サージ保護素子、及び第４のダイオードを少なくとも含む異常検出部を、直流電源に対して複数、並列に接続したものである。
【発明の効果】
【００１４】
本発明によれば、バリスタ等のサージ保護素子に常時、直流電源電圧を印加し、その漏れ電流が所定値を超えたときにスイッチ素子をオンして異常表示を行うため、簡単な回路構成によってサージ保護素子の劣化等による異常を検出することができる。
また、単一の直流電源を用いて複数の異常検出部に電源電圧を供給することにより、複数の通信回線にそれぞれ設けられたサージ保護素子の異常を一括して監視することが可能である。
【図面の簡単な説明】
【００１５】
【図１】本発明の実施形態が適用される通信用サージ保護回路の構成図である。
【図２】本発明の実施形態に係る異常検出回路の構成図である。
【図３】従来技術を示す回路図である。
【発明を実施するための形態】
【００１６】
以下、図に沿って本発明の実施形態を説明する。
まず、図１は、本実施形態が適用される通信用サージ保護回路の構成図である。図１において、１００は通信用サージ保護回路、１１０は入力端子Ｌ１，Ｌ２及び出力端子Ｔ１，Ｔ２を有する一対の通信線である。
【００１７】
一対の通信線１１０には、ダイオードＤ１〜Ｄ４からなるダイオードブリッジ１０２の入力端子がそれぞれ接続され、その出力端子の間には、バリスタ等のサージ保護素子１０１が接続されている。
サージ保護素子１０１の両端には、第１，第２のダイオードＤ５，Ｄ６の各一端がそれぞれ接続され、これらのダイオードＤ５，Ｄ６の各他端は接地端子Ｅに共通接続されている。
また、サージ保護素子１０１の両端には、図示の極性で接続された第３，第４のダイオードＤ７，Ｄ８を介して、後述する異常検出回路が接続されている。
【００１８】
上記構成の通信用サージ保護回路１００では、通信線１１０に侵入した雷サージ電流がダイオードブリッジ１０２及びサージ保護素子１０１を介して接地端子Ｅに流れるので、出力端子Ｔ１，Ｔ２に接続された各種の通信機器や計装機器等に流入するおそれがなく、これらを雷サージから保護することができる。
【００１９】
次に、図２は本実施形態に係る異常検出回路を示しており、この異常検出回路は、図１に示した通信用サージ保護回路１００及びダイオードＤ７，Ｄ８とその周辺回路とによって構成されている。なお、図２において、サージ保護素子１０１以外の通信用サージ保護回路１００の構成部品は図示を省略してある。
【００２０】
図２において、異常検出部１５０は、通信用サージ保護回路１００ごとに設けられており、後述するバッテリーＢ及びリレーＲｙの直列回路に対して、複数の異常検出部１５０が並列に接続されている。この異常検出部１５０とバッテリーＢ及びリレーＲｙにより、本実施形態に係る異常検出回路が構成される。
すなわち、異常を監視するべき通信回線ごとに図１の通信用サージ保護回路１００が接続され、図２の異常検出回路によって複数の通信回線におけるサージ保護素子１０１の異常を一括して検出可能となっている。
【００２１】
図２に示すように、直流電源としてのバッテリーＢと、フォトＭＯＳ（Photo-MOS）リレー等からなるリレーＲｙとの直列回路の両端には、電流制限用の抵抗Ｒと、発光ダイオードＤ１０と、スイッチ素子としてサイリスタＴＨが直列に接続されている。
また、バッテリーＢの正極には定電流ダイオードや抵抗等からなる定電流素子ＣＲＤの一端が接続され、その他端は前記ダイオードＤ７のアノード、カソードを介してサージ保護素子１０１の一端に接続されている。そして、サージ保護素子１０１の他端は前記ダイオードＤ８のアノードに接続され、そのカソードは前記サイリスタＴＨのゲートに接続されている。
上記構成において、サイリスタＴＨに代わるスイッチ素子として、トランジスタを用いてもよい。
【００２２】
次に、この実施形態の動作を説明する。
図１の通信用サージ保護回路１００による雷サージの吸収動作は前述したとおりであり、サージ保護素子１０１が雷サージを繰り返し吸収し、また、長期にわたって使用されることにより、サージ保護素子１０１の特性が劣化して正常時の抵抗値が低下する。このため、図２の異常検出回路では、バッテリーＢ→定電流素子ＣＲＤ→ダイオードＤ７→サージ保護素子１０１→ダイオードＤ８→リレーＲｙの経路で漏れ電流が流れる。なお、ここでは、漏れ電流が流れるようなサージ保護素子１０１の特性の劣化、故障等を、サージ保護素子１０１の「異常」というものとする。
【００２３】
そして、サージ保護素子１０１の漏れ電流、つまりサイリスタＴＨのゲート電流が、定電流素子ＣＲＤにより設定された所定値を超えるとサイリスタＴＨがオンし、バッテリーＢ→抵抗Ｒ→発光ダイオードＤ１０→サイリスタＴＨ→リレーＲｙの経路で異常検出電流が流れる。
このため、発光ダイオードＤ１０が点灯してサージ保護素子１０１の劣化を視覚的に表示すると共に、リレーＲｙの動作により接点出力や音声による警報を発生させることができる。
【００２４】
この実施形態によれば、ダイオードＤ７，Ｄ８を介してバッテリーＢに接続されるサージ保護素子１０１の両端が、ダイオードブリッジ１０２を介して通信線１１０に接続されているので、サージ保護素子１０１を通信線１１０側及び接地側から直流的に浮かせて接続することができる。これにより、サージ保護素子１０１に直流電源電圧を常時印加して漏れ電流を検出する異常検出動作が、通信線１１０ひいては送受信される信号に悪影響を及ぼすことがない。
また、図２に示したように、バッテリーＢとリレーＲｙとの直列回路に対して異常検出部１５０を複数、並列に接続することで、複数の通信回線にそれぞれ配置されたサージ保護素子１０１の異常を一括して監視することが可能である。
【符号の説明】
【００２５】
１００：通信用サージ保護回路
１０１：サージ保護素子
１０２：ダイオードブリッジ
１１０：通信線
１５０：異常検出部
Ｄ１〜Ｄ８：ダイオード
Ｌ１，Ｌ２：入力端子
Ｔ１，Ｔ２：出力端子
Ｅ：接地端子
Ｒｙ：リレー
Ｂ：バッテリー
Ｒ：抵抗
ＣＲＤ：定電流素子
Ｄ１０：発光ダイオード
ＴＨ：サイリスタ
【図１】
2014003806.tif 000003
【図２】
2014003806.tif 000004
【図３】
2014003806.tif 000005